(57)【要約】本願発明では、上記問題点を鑑みて発明されたものであってＭＴＣデバイスの送信電力の消費を実現することができる技術を提供することにある。本願発明は、通信端末であって、測定対象を測定する測定手段と、アプリケーションサーバから送信に関する所定の条件を受信手段と、前記測定値が前記条件を満たす場合は前記測定値を前記アプリケーションサーバに送信しないと判定する手段を有する。
2016152805.tif 000002
【特許請求の範囲】
【請求項１】
通信端末であって、
測定対象を測定する測定手段と、
アプリケーションサーバから送信に関する所定の条件を受信手段と、
前記測定値が前記条件を満たす場合は前記測定値を前記アプリケーションサーバに送信しないと判定する判定手段と
を有する通信端末。
【請求項２】
前記条件は、前記測定手段が測定した測定値が、前記測定手段で測定される測定値の予測値から求められた予測範囲値である
請求項１に記載の通信端末。
【請求項３】
前記測定手段が過去に測定した測定値に基づいて、前記予測値を算出するための予測式を導出して前記アプリケーションサーバに送信する導出手段を有する請求項１又は請求項２に記載の通信端末。
【請求項４】
前記予測値は、前記測定手段が過去に測定した測定値と前記予測式とを用いて算出されることを特徴とする請求項３に記載の通信端末。
【請求項５】
前記予測値は、前記予測式と、前記予測式を送信した通信端末の近傍に位置する通信端末の測定手段が測定した測定値とを用いて算出されることを特徴とする請求項３に記載の通信端末。
【請求項６】
前記予測値は、前記測定手段が測定した過去の測定値と過去の予測値との少なくとも一方を用いて算出されることを特徴とする請求項２から請求項５のいずれかに記載の通信端末。
【請求項７】
前記通信端末は、ＭＴＣデバイスであることを特徴とする請求項１から請求項６のいずれかに記載の通信端末。
【請求項８】
アプリケーションサーバと、前記アプリケーションサーバと通信する端末とを有する通信システムであって、
前記アプリケーションサーバは、送信に関する所定の条件を設定する設定手段を有し、
前記端末は、
測定対象を測定する測定手段と、
前記測定値が、前記設定された条件を満たす場合は前記測定値を前記アプリケーションサーバに送信しないと判定する判定手段と
を有する通信システム。
【請求項９】
前記条件は、前記測定手段が測定した測定値が、前記測定手段で測定される測定値の予測値から求められた予測範囲値である
請求項８に記載の通信システム。
【請求項１０】
前記端末は、前記測定手段が過去に測定した測定値に基づいて、前記予測値を算出するための予測式を導出する導出手段を有する請求項８又は請求項９に記載の通信システム。
【請求項１１】
前記設定手段は、前記測定手段が過去に測定した測定値と前記導出手段が導出した予測式とを用いて前記予測値を算出する請求項１０に記載の通信システム。
【請求項１２】
前記設定手段は、前記導出された予測式と、前記予測式を導出した通信端末の近傍に位置する通信端末の測定手段が測定した測定値とを用いて予測値を算出する請求項１０に記載の通信システム。
【請求項１３】
前記設定手段は、前記測定手段が測定した過去の測定値と過去の予測値との少なくとも一方を用いて前記予測値を算出する請求項９から請求項１２のいずれかに記載の通信システム。
【請求項１４】
前記通信端末は、ＭＴＣデバイスである請求項８から請求項１３のいずれかに記載の通信システム。
【請求項１５】
通信方法であって、
測定対象を測定する測定ステップと、
アプリケーションサーバから送信に関する所定の条件を受信ステップと、
前記測定値が前記条件を満たす場合は前記測定値を前記アプリケーションサーバに送信しないと判定する判定ステップと
を有する通信方法。
【請求項１６】
通信端末のプログラムであって、前記プログラムは、前記通信端末に、
測定対象を測定する測定処理と、
アプリケーションサーバから送信に関する所定の条件を受信処理と、
前記測定値が前記条件を満たす場合は前記測定値を前記アプリケーションサーバに送信しないと判定する判定処理と
を実行させるプログラム。
【発明の詳細な説明】
【技術分野】
【０００１】
本願発明は、通信端末通信システム、通信方法、及び通信プログラムに関する。
【背景技術】
【０００２】
次世代のセルラシステムの１つである３ＧＰＰ  ＬＴＥ（Ｌｏｎｇ  Ｔｅｒｍ  Ｅｖｏｌｕｔｉｏｎ）では、Ｍ２Ｍ（Ｍａｃｈｉｎｅ  ｔｏ  Ｍａｃｈｉｎｅ）通信のＭＴＣ（Ｍａｃｈｉｎｅ  Ｔｙｐｅ  Ｃｏｍｍｕｎｉｃａｔｉｏｎ）を定義している。このＭＴＣでは、ＭＴＣデバイスがデータの送受信を行うが、３ＧＰＰ  ＬＴＥでは、現在このＭＴＣデバイスの消費電力の削減の為の議論が行われている。【０００３】
３ＧＰＰ  ＬＴＥでは、ＭＴＣデバイスの消費電力の削減のために、間欠受信（ＤＲＸ：ＤＩＳＣＯＮＴＩＮＵＯＵＳ  Ｒｅｃｅｐｔｉｏｎ）に関しては非特許文献１にて定義している。一方、間欠送信（ＤＴＸ：Ｄｉｓｃｏｎｔｉｎｕｏｕｓ  Ｔｒａｎｓｍｉｓｓｉｏｎ）に関しては、音声データの間欠送信に関してのみ非特許文献２にて定義している。
【先行技術文献】
【非特許文献】
【０００４】
【非特許文献１】３ＧＰＰ  ＴＳ３６．３２１（インターネット＜ＵＲＬ＞ＨＴＴＰ：／／ｗｗｗ.３ｇｐｐ.ｏｒｇ／ｄｙｎａｒｅｐｏｒｔ／３６−ｓｅｒｉｅｓ.ｈｔｍ）
【非特許文献２】３ＧＰＰ  ＴＳ２６．０８１（インターネット＜ＵＲＬ＞ＨＴＴＰ：／／ｗｗｗ．３ｇｐｐ．ｏｒｇ／ＤｙｎａＲｅｐｏｒｔ／２６‐ｓｅｒｉｅｓ.ｈｔｍ）
【発明の概要】
【発明が解決しようとする課題】
【０００５】
ＭＴＣデバイスがデータを送信するにあたって、送信電力が受信電力、スリープ電力に比べて最も多く、バッテリーで動作するＭＴＣデバイスにおいては送信する際の送信電力の消費が問題となる。【０００６】
そこで、本願発明では、上記問題点を鑑みて発明されたものであってＭＴＣデバイスの送信電力の消費を実現することができる技術を提供することにある。
【課題を解決するための手段】
【０００７】
本願発明の一態様は、通信端末であって、測定対象を測定する測定手段と、アプリケーションサーバから送信に関する所定の条件を受信手段と、前記測定値が前記条件を満たす場合は前記測定値を前記アプリケーションサーバに送信しないと判定する判定手段とを有する。【０００８】
本願発明の一態様は、アプリケーションサーバと、前記アプリケーションサーバと通信する端末とを有する通信システムであって、前記アプリケーションサーバは、送信に関する所定の条件を設定する設定手段を有し、前記端末は、測定対象を測定する測定手段と、前記測定値が、前記設定された条件を満たす場合は前記測定値を前記アプリケーションサーバに送信しないと判定する判定手段とを有する。【０００９】
本願発明の一態様は、通信方法であって、測定対象を測定する測定ステップと、アプリケーションサーバから送信に関する所定の条件を受信ステップと、前記測定値が前記条件を満たす場合は前記測定値を前記アプリケーションサーバに送信しないと判定する判定ステップとを有する。【００１０】
本願発明の一態様は、通信端末のプログラムであって、前記プログラムは、前記通信端末に、測定対象を測定する測定処理と、アプリケーションサーバから送信に関する所定の条件を受信処理と、前記測定値が前記条件を満たす場合は前記測定値を前記アプリケーションサーバに送信しないと判定する判定処理とを実行させる。
【発明の効果】
【００１１】
本発明によると、ＭＴＣデバイスの送信電力の消費を実現することができる。
【図面の簡単な説明】
【００１２】
【図１】図１は、通信システムの概要図である。
【図２】図２は、実施の形態１における端末のブロック図である。
【図３】図３は、実施の形態１におけるアプリケーションサーバのブロック図である。
【図４】図４は、実施の形態１における動作を説明するためのタイムチャートである。
【図５】図５は、実施の形態２における端末のブロック図である。
【図６】図６は、実施の形態２における動作を説明するためのタイムチャートである。
【図７】図７は本実施の形態１の無線通信システムにおける無線端末１の他の態様を示す図である。
【図８】図８は本実施の形態の無線通信システムにおける基地局や無線ネットワークの他の態様を示す図である。
【図９】図９は本実施の形態２の無線通信システムにおける無線端末１の他の態様を示す図である。
【発明を実施するための形態】
【００１３】
本願発明の特徴を説明するために、以下において、図面を参照して具体的に述べる。図１は、本願発明の通信システムの概要図である。
【００１４】
図１に示すように、通信システム１は、端末１０、ｅＮＢ（ｅｖｏｌｖｅｄ  ＮｏｄｅＢ）１１、ＭＭＥ（Ｍｏｂｉｌｉｔｙ  Ｍａｎａｇｅｍｅｎｔ  Ｅｎｔｉｔｉｙ）１２、Ｓ−ＧＷ（Ｓｅｒｖｉｎｇ  Ｇａｔｅ  Ｗａｙ）１３、Ｐ−ＧＷ（Ｐａｃｋｅｔｄａｔａ  Ｎｅｔｗｏｒｋ  Ｇａｔｅ  Ｗａｙ）１４、及びアプリケーションサーバ１５を有する。
【００１５】
本願発明は、アプリケーションサーバ１５から送信されてくる予測範囲値と、端末１０で測定した測定対象の測定値とを比較し、測定値が予測範囲値内である場合に測定値をアプリケーションサーバ１５に送信しないことを特徴とする。
【００１６】
また、測定手段が過去に測定した測定値に基づいて、予測値を算出するための予測式を導出して前記アプリケーションサーバに送信する導出手段を有することを特徴とする。
【００１７】
また、予測値は、測定手段が過去に測定した測定値と導出手段が導出した予測式とを用いて算出されることを特徴とする。
【００１８】
また、予測値は、導出手段が導出した予測式と、この予測式を送信した通信端末の近傍に位置する通信端末の測定手段が測定した測定値とを用いて算出されることを特徴とする。
【００１９】
また、予測値は、測定手段が測定した過去の測定値と過去の予測値との少なくとも一方を用いて算出されることを特徴とする。
【００２０】
さらに、通信端末は、ＭＴＣデバイスであることを特徴とする。
【００２１】
上記特徴により、本願発明は、ＭＴＣデバイスの送信電力の消費を実現することができる。
【００２２】
以下に、本願発明の実施の形態について説明する。
【００２３】
〈実施の形態１〉
端末１０は、ＭＴＣに用いられる端末であり、ＭＴＣデバイスとも言う。端末１０は、無線基地局であるｅＮＢ１１を介してＭＭＥ１２やＳ−ＧＷ１３に位置登録を行い、Ｐ−ＧＷ１４を介してアプリケーションサーバ１５と通信する。
【００２４】
図２は実施の形態１における端末１０のブロック図である。端末１０は、図２に示す通り、通信部１０１、測定部１０２、及び判定部１０３を有する。
【００２５】
通信部１０１は、アプリケーションサーバ１５と、ＤＲＸ及びＤＴＸの間欠送受信を行う。通信部１０１は、ＤＲＸ時にアプリケーションサーバ１５から、測定部１０２が測定する測定値の予測値とこの予測値を中心とした許容範囲値とを含む予測範囲値を受信する。また、判定部１０２の判定結果に応じて、ＤＴＸによる送信を行ったり行わなかったりする。
【００２６】
測定部１０２は、測定対象を測定して蓄積する。測定対象は、質量、距離、力の大きさ、温度、湿度、気圧、圧力、速度、加速度、音量、輝度等のように測定器で測定できる物理現象である物理量を指す。また、密度等のように、測定値から算出することができる物理量も測定値として蓄積させる。尚、測定部１０２が測定する物理量の種類は、アプリケーションによって予め決められているものとする。また、測定部１０２における測定は、定期的に行っても、アプリケーションサーバ１５からの指示に従って行っても良い。但し、アプリケーションサーバ１５からの指示に従って行う場合は、測定値がある程度アプリケーションサーバ１５に蓄積されてからが望ましい。
【００２７】
判定部１０３は、通信部１０１がアプリケーションサーバ１５から受信した予測範囲値と、測定部１０２が測定した測定値とを比較する。比較の結果、測定値が予測範囲値内である場合には、ＤＴＸを行わないと判定する。一方、比較の結果、測定値が予測範囲値外である場合にはＤＴＸを行い、測定値をアプリケーションサーバ１５に送信すると判定する。
【００２８】
アプリケーションサーバ１５は、複数の端末１０と通信できるサーバである。アプリケーションサーバ１５は、図３に示す通り、通信部１５１と、データベース１５２と、予測部１５３とを有する。
【００２９】
通信部１５１は、端末１０から送信される測定値を受信する。また、予測部１５２が予測した予測値に基づいて決定した予測範囲値を端末１０に送信する。
【００３０】
データベース１５２には、端末１０から送信される測定値が時系列で蓄積されている。
【００３１】
予測部１５３、データベース１５２に蓄積されている測定値に基づいて予測値を算出し、この予測値に予め決められている許容範囲値を付加した予測範囲値を決定する。予測部１５３が、データベース１５２に蓄積されている過去の測定値を用いて予測するが、直近に測定された測定値を用いて予測する方法、所定期間の同時刻に測定された測定値を用いて予測する方法、複数の所定期日の測定値を用いて予測する方法のいずれであってもよい。また、予測部１５３は、予測範囲値を送信後、所定時間、端末１０から測定値が送信されない時は予測値を測定値としてデータベース１５２に記憶させる。
【００３２】
続いて、本実施の形態の動作について説明する。図４は、本実施の形態における動作を説明するためのタイムチャート図である。ここで、アプリケーションサーバ１５には、既に端末１０の測定部１０２がアプリケーションごとに決められている物理量を各種測定した測定値が蓄積されており、アプリケーションサーバから予測範囲値が送信された時に測定部１０２が測定するものとする。
【００３３】
予測部１５３は、データベース１５２に蓄積されている測定値に基づいて予測値を算出し（Ｓ４０１）、この予測値に許容範囲値を付加させた予測範囲値を決定する（Ｓ４０２）。
【００３４】
通信部１５１は、予測部１５３が決定した予測範囲値を端末１０に送信する（Ｓ４０３）。
【００３５】
端末１０の通信部１０１は、アプリケーションサーバ１５から送信される予測範囲値をＤＲＸのタイミングにて受信する（Ｓ４０４）。
【００３６】
測定部１０２が測定を開始し（Ｓ４０５）、判定部１０３はこの測定値と、受信した予測範囲値とを比較し（Ｓ４０６）、測定値が予測範囲外である場合には測定値を送信すると判定し、通信部１０１を介してＤＴＸのタイミングにて測定値を送信し（Ｓ４０７）、アプリケーションサーバ１５の通信部１５１が受信してデータベース１５２に記録される（Ｓ４０８）。
【００３７】
一方、測定値が予測範囲内である場合には送信を行わないと判定する（Ｓ４０９）。
【００３８】
予測部１５３は、予測範囲値を送信後、所定時間内に端末１０から測定値が送信されたか否かを監視し（Ｓ４１０）、送信されない場合は予測値を測定値としてデータベース１５２に記憶させる（Ｓ４１１）。
【００３９】
上記本実施の形態によると、測定値が予測範囲値外である時に測定値を送信するため、端末１０の送信電力の消費を実現することが可能となる。
【００４０】
尚、上記説明した予測部１５２の予測方法は、上記以外にもいくつか挙げられる。
【００４１】
例えば、予測範囲値を送信する端末１０の近傍の近隣端末１０から過去に送信された同一アプリケーションの測定値を利用して予測する方法が挙げられる。この場合も上記同様に、時系列で測定を蓄積し、直近に測定された測定値を用いて予測する方法、所定期間の同時刻に測定されたデータを用いて予測する方法、所定期日の測定値を用いて予測する方法が挙げられる。尚、近隣端末１０から過去に送信された測定値と、予測範囲値を送信する端末１０から過去に送信された測定値との両方を用いても良いものとする。
【００４２】
次に、アプリケーションサーバ１５が予測範囲値を送信する端末１０において複数のアプリケーションが実行されている場合、別のアプリケーションでの測定データを用いてターゲットの測定値の予測値を予測する方法が挙げられる。この場合の一例としては、例えば、自販機の冷たい飲料の売り上げ値から、現在の温度を予測する等が考えられる。
【００４３】
次に、アプリケーションサーバ１５がアクセスすることができる外部データベースの測定値を利用して予測する方法が挙げられる。この一例としては、気象庁が発表した特定地域の気温を用いて、端末が設置されている該特定地域に位置する農場の気温を予測する等があげられる。
【００４４】
本願発明における予測方法は上記のいずれであっても良く、また組み合わせても良いものとする。
【００４５】
〈実施の形態２〉
本願発明の実施の形態２について説明する。上記実施の形態では、アプリケーションサーバ１５が過去の測定値を用いて予測範囲値を決定する形態について説明した。本実施の形態では、端末１０が過去の測定値を用いて予測式を導出し、アプリケーションサーバ１５がこの予測式と測定値とを用いて予測範囲値を決定する形態について説明する。尚、上記実施の形態と同様の構成については同一番号を付し、詳細な説明は省略する。
【００４６】
端末１０は、図５に示す通り、実施の形態１の構成に加えて導出部１０４を有する。
【００４７】
導出部１０４は、測定部１０２が測定して蓄積させた測定値を用いて回帰分析を行って予測式を導出する。そして、導出した予測式を、通信部１０１を介してＤＴＸのタイミングでアプリケーションサーバ１５に送信する。予測式の導出は、例えば所定量の測定値が収集された際に行っても、定期的に行っても、アプリケーションサーバ１５からの指示を受信した際に行っても良い。また、予測式の送信は、予測式が導出される度に送信しても、定期的に送信しても、アプリケーションサーバ１５からの指示に従って送信しても良い。
【００４８】
アプリケーションサーバ１５の予測部１５３は、端末１０から送信される予測式と、データベース１５２に蓄積されている測定値とを用いて予測値を算出し、予測範囲値を決定する。
【００４９】
続いて、本実施の形態の動作について説明する。図６は、本実施の形態における動作を説明するためのタイムチャート図である。ここで、アプリケーションサーバ１５には、既に端末１０の測定部１０２がアプリケーションごとに決められている物理量を各種測定した測定値が蓄積されているものとする。
【００５０】
導出部１０４は、過去に測定した測定値を用いて予測式を導出する（Ｓ６０１）。そして、導出した予測式を、ＤＴＸのタイミングで通信部１０１を介してアプリケーションサーバ１５に送信する（Ｓ６０２）。
【００５１】
予測部１５３は、送信された予測式を受信し、この受信した予測式と、データベース１５２に蓄積されている測定値とに基づいて予測値を算出し（Ｓ６０３）、この予測値に許容範囲値を付加させた予測範囲値を決定する（Ｓ６０４）。
【００５２】
通信部１５１は、予測部１５３が決定した予測範囲値を端末１０に送信する（Ｓ６０５）。
【００５３】
端末１０の通信部１０１は、アプリケーションサーバ１５から送信される予測範囲値をＤＲＸのタイミングにて受信する（Ｓ６０６）。
【００５４】
測定部１０２は予測範囲値を受信すると測定を開始し（Ｓ６０７）、判定部１０３はこの測定値と、受信した予測範囲値とを比較し（Ｓ６０８）、測定値が予測範囲外である場合には測定値を送信すると判定し、通信部１０１を介してＤＴＸのタイミングにて測定値を送信し（Ｓ６０９）、アプリケーションサーバ１５の通信部１５１が受信してデータベース１５２に記録される（Ｓ６１０）。
【００５５】
一方、測定値が予測範囲内である場合には送信を行わないと判定する（Ｓ６１１）。
【００５６】
予測部１５３は、予測範囲値を送信後、所定時間内に端末１０から測定値が送信さたか否かを監視し（Ｓ６１２）、送信されない場合は予測値を測定値としてデータベース１５２に記憶させる（Ｓ６１３）。
【００５７】
上記本実施の形態によると、測定値が予測範囲値外である時に測定値を送信するため、端末１０の送信電力の消費を実現することが可能となる。
【００５８】
尚、上記説明した予測部１５２の予測方法は、上記以外にもいくつか挙げられる。
【００５９】
例えば、予測範囲値を送信する端末１０の近傍の近隣端末１０から送信される同一アプリケーションの予測式と測定値とを利用して予測する方法が挙げられる。この場合も上記同様に、時系列で測定を蓄積し、直近に測定された測定値を用いて予測する方法、所定期間の同時刻に測定されたデータを用いて予測する方法、所定期日の測定値を用いて予測する方法が挙げられる。尚、近隣端末１０から送信された測定式と、予測範囲値を送信する端末１０から過去に送信された測定値とを用いても、予測範囲値を送信する端末１０から送信された測定式と、近隣端末１０から過去に送信された測定値とを用いても良いものとする。
【００６０】
また、上記説明した導出部１０４の予測式の導出方法は上記以外の方法で当ても良い。例えば、端末１０において複数のアプリケーションが実行されている場合、別のアプリケーションでの測定データとの相関分析を行って予測式を導出する方法が挙げられる。
【００６１】
本願発明における予測方法及び導出方法は上記のいずれであっても良く、また組み合わせても良いものとする。
【００６２】
尚、上述した本願発明は、上記説明からも明らかなようにハードウェアで構成することも可能であるが、コンピュータプログラムによって各処理を情報処理装置（ＣＰＵ）に行わせることにより実現することも可能である。この場合、プログラムメモリに格納されているプログラムで動作するプロセッサによって、上述した実施の形態と同様の機能、動作を実現させる。
【００６３】
例えば、無線端末１では、図７に示す如く、メモリ７００と、ＣＰＵ７０１とから構成されるコンピュータシステムによって実現可能である。この場合、メモリ７００には、上述した実施の形態１の通信部１０１、測定部１０２及び判定部１０３に対応する処理を行うプログラムが格納されている。そして、ＣＰＵ７０１がメモリ７００に格納されているプログラムを実行することで、通信部１０１、測定部１０２及び判定部１０３の機能が実現される。
【００６４】
また、通信部１５１及び予測部１５３を有するアプリケーションサーバ１５も同様に、図８に示す如く、メモリ８００と、ＣＰＵ８０１とから構成されるコンピュータシステムによって実現可能である。この場合、メモリ８００には、上述した通信部１５１及び予測部１５３に対応する処理を行うプログラムが格納されている。そして、ＣＰＵ８０１がメモリ８００に格納されているプログラムを実行することで、通信部１５１及び予測部１５３の機能が実現される。尚、データベース１５２は、メモリ８００内に記憶されていても、同一のコンピュータシステム内の別のメモリに記憶されても、更には、別のコンピュータシステム内のメモリに記憶されても良い。
【００６５】
更に、無線端末１では、図９に示す如く、メモリ９００と、ＣＰＵ９０１とから構成されるコンピュータシステムによって実現可能である。この場合、メモリ９００には、上述した実施の形態２の通信部１０１、測定部１０２、判定部１０３、及び導出部１０４に対応する処理を行うプログラムが格納されている。そして、ＣＰＵ９０１がメモリ９００に格納されているプログラムを実行することで、通信部１０１、測定部１０２、判定部１０３、及び導出部１０４の機能が実現される。
【００６６】
また、上記の実施形態の一部又は全部は、以下の付記のようにも記載されうるが、以下には限られない。
【００６７】
［付記１］
通信端末であって、
測定対象を測定する測定手段と、
アプリケーションサーバから送信に関する所定の条件を受信手段と、
前記測定値が前記条件を満たす場合は前記測定値を前記アプリケーションサーバに送信しないと判定する判定手段と
を有する通信端末。
【００６８】
［付記２］
前記条件は、前記測定手段が測定した測定値が、前記測定手段で測定される測定値の予測値から求められた予測範囲値である
付記１に記載の通信端末。
【００６９】
［付記３］
前記測定手段が過去に測定した測定値に基づいて、前記予測値を算出するための予測式を導出して前記アプリケーションサーバに送信する導出手段を有する付記１又は付記２に記載の通信端末。
【００７０】
［付記４］
前記予測値は、前記測定手段が過去に測定した測定値と前記予測式とを用いて算出されることを特徴とする付記３に記載の通信端末。
【００７１】
［付記５］
前記予測値は、前記予測式と、前記予測式を送信した通信端末の近傍に位置する通信端末の測定手段が測定した測定値とを用いて算出されることを特徴とする付記３に記載の通信端末。
【００７２】
［付記６］
前記予測値は、前記測定手段が測定した過去の測定値と過去の予測値との少なくとも一方を用いて算出されることを特徴とする付記２から付記５のいずれかに記載の通信端末。
【００７３】
［付記７］
前記通信端末は、ＭＴＣデバイスであることを特徴とする付記１から付記６のいずれかに記載の通信端末。
【００７４】
［付記８］
アプリケーションサーバと、前記アプリケーションサーバと通信する端末とを有する通信システムであって、
前記アプリケーションサーバは、送信に関する所定の条件を設定する設定手段を有し、
前記端末は、
測定対象を測定する測定手段と、
前記測定値が、前記設定された条件を満たす場合は前記測定値を前記アプリケーションサーバに送信しないと判定する判定手段と
を有する通信システム。
【００７５】
［付記９］
前記条件は、前記測定手段が測定した測定値が、前記測定手段で測定される測定値の予測値から求められた予測範囲値である
付記８に記載の通信システム。
【００７６】
［付記１０］
前記端末は、前記測定手段が過去に測定した測定値に基づいて、前記予測値を算出するための予測式を導出する導出手段を有する付記８又は付記９に記載の通信システム。
【００７７】
［付記１１］
前記設定手段は、前記測定手段が過去に測定した測定値と前記導出手段が導出した予測式とを用いて前記予測値を算出する付記１０に記載の通信システム。
【００７８】
［付記１２］
前記設定手段は、前記導出された予測式と、前記予測式を導出した通信端末の近傍に位置する通信端末の測定手段が測定した測定値とを用いて予測値を算出する付記１０に記載の通信システム。
【００７９】
［付記１３］
前記設定手段は、前記測定手段が測定した過去の測定値と過去の予測値との少なくとも一方を用いて前記予測値を算出する付記９から付記１２のいずれかに記載の通信システム。
【００８０】
［付記１４］
前記通信端末は、ＭＴＣデバイスである付記８から付記１３のいずれかに記載の通信システム。
【００８１】
［付記１５］
通信方法であって、
測定対象を測定する測定ステップと、
アプリケーションサーバから送信に関する所定の条件を受信ステップと、
前記測定値が前記条件を満たす場合は前記測定値を前記アプリケーションサーバに送信しないと判定する判定ステップと
を有する通信方法。
【００８２】
［付記１６］
通信端末であって、
メモリとプロセッサとから構成され、
前記プロセッサは、
測定対象を測定する測定処理と、
アプリケーションサーバから送信に関する所定の条件を受信処理と、
前記測定値が前記条件を満たす場合は前記測定値を前記アプリケーションサーバに送信しないと判定する判定処理と
を実行する通信端末。
【００８３】
以上、実施の形態及び実施例をあげて本願発明を説明したが、本願発明は必ずしも上記実施の形態及び実施例に限定されるものではなく、その技術的思想の範囲内において様々に変形し実施することが出来る。
【符号の説明】
【００８４】
１      通信システム
１０    端末
１１    ｅＮＢ
１２    ＭＭＥ
１３    Ｓ−ＧＷ
１４    Ｐ−ＧＷ
１５    アプリケーションサーバ
１０１  通信部
１０２  測定部
１０３  判定部
１０４  導出部
１５１  通信部
１５２  データベース
１５３  予測部
７００  メモリ
７０１  ＣＰＵ
８００  メモリ
８０１  ＣＰＵ
９００  メモリ
９０１  ＣＰＵ
【図１】
2016152805.tif 000003
【図２】
2016152805.tif 000004
【図３】
2016152805.tif 000005
【図４】
2016152805.tif 000006
【図５】
2016152805.tif 000007
【図６】
2016152805.tif 000008
【図７】
2016152805.tif 000009
【図８】
2016152805.tif 000010
【図９】
2016152805.tif 000011
【国際調査報告】
2016152805.tif 000012
2016152805.tif 000013
2016152805.tif 000014
2016152805.tif 000015